(57)【要約】  【課題】洗浄布として不織布を用いることで、タワシやスポンジに劣らない洗浄効果を確保しつつ、使用する都度に汚れた先端部を取り外して捨てることができ、使用後の手入れが簡単で水切れが良く、清潔に保管、取り扱いができ、しかも洗浄布の着脱が容易なトイレ用洗浄具を提供する。  【解決手段】両端部に係止孔１０を形成した不織布からなる洗浄布２と、洗浄布２と略同幅で、洗浄布２を外面に沿って縦巻にして配置可能な柔軟性を有する保持部１２と、先端部を保持部１２に固定した持ち手としての柄１３と、保持部１２又は柄１３に設けられ、係止孔１０を引っ掛けて洗浄布２を保持部１２の外面に沿って固定する引っ掛け部１４とを備えた。【選択図】        図１
2006312095.tif 000002
【特許請求の範囲】
【請求項１】
両端部に係止孔を形成した不織布からなる洗浄布と、
前記洗浄布と略同幅で、洗浄布を外面に沿って縦巻にして配置可能な柔軟性を有する保持部と、
先端部を保持部に固定した持ち手としての柄と、
前記保持部又は柄に設けられ、係止孔を引っ掛けて洗浄布を保持部の外面に沿って固定する引っ掛け部と、
を備えたことを特徴とする洗浄具。
【請求項２】
前記洗浄布として、不織布に代えてトイレに流すことができる紙素材からなるものを用いた請求項１記載の洗浄具。
【請求項３】
前記保持部として、先端側へ行くにしたがって薄肉に構成した柔軟性を有する略平板状の板材からなるものを用いた請求項１又は２記載の洗浄具。
【請求項４】
前記保持部として、柔軟性を有する平板を途中部で折り曲げて、その両端部を接合し、接合部に柄を固定したものを用いた請求項１又は２記載の洗浄具。
【請求項５】
前記保持部として、柔軟性を有する平板をその途中部において略コ字状に折曲させて、途中部に柄が固定される連結部を形成し、両側に先端側へ行くにしたがって間隔が広くなるアーム部を形成したものを用いた請求項１又は２記載の洗浄具。
【請求項６】
前記保持部の柄側端部の外側又は内側に沿って配置される操作板を設け、保持部と操作板のうちの内側に配置される部材に引っ掛け部を形成し、外側に配置される部材に引っ掛け部が挿通する挿通孔を形成し、操作板を保持部に対して接近方向と離間方向とに操作可能な操作ロッドを操作板に連結した請求項１〜５のいずれか１項記載の洗浄具。
【請求項７】
前記操作板を保持部の基端部側へ付勢する付勢手段を設けた請求項６記載の洗浄具。
【請求項８】
前記保持部と柄と引っ掛け部とからなる洗浄具本体を熱可塑性合成樹脂材料の一体成形品で構成した請求項１〜７のいずれか１項記載の洗浄具。
【請求項９】
前記請求項１〜８のいずれか１項記載の洗浄具で用いられる、保持部と柄と引っ掛け部とを備えたことを特徴とする洗浄具本体。
【発明の詳細な説明】
【技術分野】
【０００１】
この発明は、便器用洗浄具として好適に利用可能な洗浄具に関する。
【背景技術】
【０００２】
便器用洗浄具としては、柄部とブラシ部が一体成形された樹脂製のトイレブラシが、専用のホルダーと共に数多く市販されている。その他にも先端部をスポンジで構成した物や、柄の先にタワシを取り付けたもの等が広く知られている。
【０００３】
一方、特許文献１には、枢軸を中心に鋏み状に開閉自在に枢着した１対のアーム部材を設け、このアーム部材の先端部に軟質体をそれぞれ取付け、軟質体に不織布等からなる払拭シートを巻き付けて取付可能となした便器洗浄具が記載されている。この公報には、払拭シートとして水解性のシートを用い、洗浄後、この払拭シートをトイレに流せるように構成し、手指を汚さないようにする点が明記されている。
【特許文献１】特開平９−１５４７７０号公報
【発明の開示】
【発明が解決しようとする課題】
【０００４】
これらの洗浄具のうち一体成形の樹脂製ブラシは、ピンの密度が粗いために、便器の被洗浄面における黄ばみ等のこびりついた汚れに対してクレンザー等の研磨剤入りの洗剤を用いても、被洗浄面に対するピンの接触面積が小さくて、効率よく面全体を均一に洗浄することができないため、簡単に汚れを落とすことがなかなか困難であった。
【０００５】
一方、先端にタワシやスポンジを取り付けた洗浄具は、前記黄ばみ等のこびりついた汚れに対しても、比較的密な毛足や面でこすることができるため、効果的に便器を洗うことができるが、タワシの毛足の間やスポンジの内部に汚物が溜まりやすくて不衛生になりやすい上に、使用後の手入れもしにくく、また、水切れも悪いために清潔に保管や取り扱いをすることは非常に困難であった。
【０００６】
一方、特許文献１に記載の洗浄具では、不織布からなる払拭シートを用いているので、タワシやスポンジに劣らない洗浄効果を確保しながら、使用する都度に汚れた先端部を取り外して捨てることができ、使用後の手入れが簡単で水切れが良く、清潔に保管、取り扱いができるという利点を有している。しかし、払拭シートは、その端部を挟んで軟質体に巻き付けることにより、着脱自在に取り付けられているので、洗浄途中で巻きつけた不織布が解けることがあり、洗浄作業が煩雑になるという問題がある。また、払拭シートの取り外しに際して、アームの先端部を広げることで、不織布を破断して破棄できると記載されているが、不織布は比較的大きな引張り強度を有していることから、公報記載内容とは異なって容易には破断できず、不織布の取り外し作業が煩雑になるという問題もある。
【０００７】
本発明の目的は、洗浄布として不織布を用いることで、タワシやスポンジに劣らない洗浄効果を確保しつつ、使用する都度に汚れた先端部を取り外して捨てることができ、使用後の手入れが簡単で水切れが良く、清潔に保管、取り扱いができ、しかも洗浄布の着脱が容易なトイレ用洗浄具を提供することである。
【課題を解決するための手段】
【０００８】
本発明に係る洗浄具は、両端部に係止孔を形成した不織布からなる洗浄布と、前記洗浄布と略同幅で、洗浄布を外面に沿って縦巻にして配置可能な柔軟性を有する保持部と、先端部を保持部に固定した持ち手としての柄と、前記保持部又は柄に設けられ、係止孔を引
っ掛けて洗浄布を保持部の外面に沿って固定する引っ掛け部とを備えたものである。
【０００９】
この洗浄具では、洗浄布の一方の係止孔を引っ掛け部に引っ掛けてから、洗浄布を保持部を覆うようにして反対側へ引き回し、洗浄布の他方の係止孔を引っ掛け部に引っ掛けることにより、保持部に対して洗浄布を容易に取り付けることが可能となる。また、洗浄布を取り外す際には、引っ掛け部から係止孔をそれぞれ抜き取って、容易に洗浄具を取り外すことが可能となる。
【００１０】
洗浄する際には、保持部に対して洗浄布を取り付けた状態で、柄を握って便器等の被洗浄面に洗浄布を当て付けることになるが、このとき洗浄布は、保持部が被洗浄面に沿って変形することで、被洗浄面に十分に密着するので、効果的に被洗浄面を洗浄することが可能となる。
【００１１】
前記係止孔としては、抜き孔状の係止孔を形成することも可能であるし、スリット状の切り込みからなる係止孔を設けてもよい。このようなスリット状の係止孔は、洗浄布の製造の際に、穴部分の抜きカスが発生しないため、その処理が不要になるとともに、抜きカスの混入を防止するための余分な作業や検査を実施する必要が無く、洗浄布の製作コストを低減できるので好ましい。
【００１２】
前記洗浄布としては、比較的厚手で耐水性があり、保持部を覆って巻き廻すことができる柔軟性をもち、ある程度の親水性を備えていれば、合成繊維、再生繊維、及び天然繊維やそれらの混綿品等幅広く用いることができるが、原綿の調達の容易さや、品質の安定性、コスト等を考慮すると、ポリエステル等の合成繊維素材の不織布を用いることが好ましい。
【００１３】
また、前記洗浄布として、不織布に代えて、洗浄途中で分解しない程度の耐水性を有し、トイレに流すことができる紙素材を用いてもよい。例えばペーパータオルやトイレ掃除用の水洗トイレに流せるワイパーと同様の長繊維パルプ紙を用いると、使用後にそのまま水洗トイレに流すことができるので、手間のかからない利便性の高い洗浄具を得ることができる。特に後述の、手を触れずに使用済みの洗浄布を取り外すことができる開放機構と併用することにより、使用時に手を汚すことが無く、使用後の柄や保持部の洗浄も簡単な、一層利便性の高いトイレ用洗浄具を得ることができる。
【００１４】
ここに、前記保持部として、先端側へ行くにしたがって薄肉に構成した柔軟性を有する略平板状の板材からなるものを用いてもよい。このように構成すると、より狭い隙間へも洗浄布を挿入でき便器の口縁部裏側等の洗浄に都合が良い。
【００１５】
また、前記保持部として、柔軟性を有する平板を途中部で折り曲げて、その両端部を接合し、接合部に柄を固定したものを用いてもよい。このように構成することで、外力が作用したときにおける保持部の変形を促進してし、便器等の壁面に沿って洗浄布が密着して、効果的に壁面を洗浄することが可能となる。
【００１６】
また、前記保持部として、柔軟性を有する平板をその途中部において略コ字状に折曲させて、途中部に柄が固定される連結部を形成し、両側に先端側へ行くにしたがって間隔が広くなるアーム部を形成したものを用いてもよい。この場合には、前記洗浄布を適度な張力を作用させた状態で保持部に取り付けたときに、保持部を構成する２枚のアーム部の先端側部分がそれぞれ内側に引き寄せられて先端部同士が当接され、前記保持部の断面形状を先端が尖って中央部が膨れた略楔形にすることができる。こうすることにより、壁面をこする時に十分な弾力と壁面形状への追随性を確保しつつ、狭い隙間へも先端部を容易に挿入することが可能になる。
【００１７】
前記保持部の柄側端部の外側又は内側に沿って配置される操作板を設け、保持部と操作板のうちの内側に配置される部材に引っ掛け部を形成し、外側に配置される部材に引っ掛け部が挿通する挿通孔を形成し、操作板を保持部に対して接近方向と離間方向とに操作可能な操作ロッドを操作板に連結してもよい。この場合には、保持部の基端部と操作板とが離間するように操作ロッドを操作することで、引っ掛け部を挿入孔から抜き取る方向へ操作し、手を汚すことなく洗浄布から引っ掛け部を抜き取って、保持部から洗浄布を取り外すことが可能となる。
【００１８】
前記操作板を保持部の基端部側へ付勢する付勢手段を設けてもよい。このように構成することで、洗浄布の取り付けに際しては、付勢手段の付勢力で突出する引っ掛け部に洗浄布の係止孔を装着させて、保持部に洗浄布を取り付けることが可能となり、洗浄布の取り外しに際しては、付勢手段の不勢力に抗して引っ掛け部を没入させることで、手指を汚すことなく洗浄布を取り外すことが可能となるので、洗浄布の着脱操作性を向上できる。
【００１９】
前記保持部と柄と引っ掛け部とからなる洗浄具本体を熱可塑性合成樹脂材料の一体成形品で構成してもよい。例えばポリプロピレン、ポリエチレン等の柔軟性を有する熱可塑性合成樹脂材料を用いて一体成形することにより、接合部の無い、汚れのたまりにくい洗浄具本体を安価に製作することが可能になる。
【００２０】
本発明に係る洗浄具本体は、前記請求項１〜８のいずれか１項記載の洗浄具で用いられる、保持部と柄と引っ掛け部とを備えたものである。この洗浄具本体では、前述のように引っ掛け部に洗浄布の係止孔を引っ掛けて、保持部に沿って洗浄布をセットし、この状態で便器等を洗浄することになる。
【発明の効果】
【００２１】
本発明に係る洗浄具によれば、保持部又は柄に設けた引っ掛け部に対して洗浄布の係止孔を引っ掛けたり、引っ掛け部から係止孔を抜き取ったりすることにより、洗浄具本体に対して洗浄布を容易に着脱することが可能となる。
【００２２】
また、洗浄布を不織布で構成し、しかも洗浄布には係止孔を設けるだけでよいので、洗浄布の製作コストを格段に安くして、使い捨てにすることを可能となし、洗浄具本体の使用後の手入れが簡単で、取り扱いや保管が清潔に行える、利便性の高い洗浄具を提供できる。
更に、柔軟で腰のある保持部に対して洗浄布を取り付けるので、洗浄布を便器等の被洗浄面に押し当てたときに、被洗浄面に沿って保持部が変形して、洗浄布が被洗浄面に十分に密着するので、洗浄効果を格段に向上できる。
【００２３】
ここで、洗浄布として、不織布に代えてトイレに流すことができる紙素材からなるものを用いると、使用後の汚れた洗浄布をそのまま水洗トイレに流して捨てることができ、しずくの垂れる使用済みの洗浄布を汚物入れ等に入れて処分する手間を省くことができる。
【００２４】
保持部として、先端側へ行くにしたがって薄肉に構成した柔軟性を有する略平板状の板材からなるものを用い、先端部を柔軟に屈曲可能に構成すると、洗浄具を押し当てる角度にかかわらず、洗浄布が屈曲した壁面等にも良く追随し、被洗浄面を効率良く洗うことができる。また先端部を薄く構成することにより、便器の口縁部裏側の狭いところ等にも容易に先端部を挿し入れることができ、洗いにくいところも効果的に洗浄することができる。
【００２５】
保持部として、柔軟性を有する平板を途中部で折り曲げて、その両端部を接合し、接合
部に柄を固定したものを用いると、外力が作用したときにおける保持部の変形により、便器等の壁面に沿って洗浄布が密着して、効果的に壁面を洗浄することが可能となる。
【００２６】
また、保持部として、柔軟性を有する平板をその途中部において略コ字状に折曲させて、途中部に柄が固定される連結部を形成し、両側に先端側へ行くにしたがって間隔が広くなるアーム部を形成したものを用いると、壁面をこする時に十分な弾力と壁面形状への追随性を確保しつつ、狭い隙間へも先端部を容易に挿入することが可能になる。
【００２７】
前記保持部の柄側端部の外側又は内側に沿って配置される操作板を設け、保持部と操作板のうちの内側に配置される部材に引っ掛け部を形成し、外側に配置される部材に引っ掛け部が挿通する挿通孔を形成し、操作板を保持部に対して接近方向と離間方向とに操作可能な操作ロッドを操作板に連結すると、保持部の基端部と操作板とが離間するように操作ロッドを操作することで、引っ掛け部を挿入孔から抜き取る方向へ操作し、手を汚すことなく洗浄布から引っ掛け部を抜き取って、保持部から洗浄布を取り外すことが可能となる。
【００２８】
操作板を保持部の基端部側へ付勢する付勢手段を設けると、洗浄布の着脱操作性を向上できる。
洗浄具本体を熱可塑性合成樹脂材料の一体成形品で構成すると、接合部の無い、汚れのたまりにくい洗浄具本体を安価に製作することが可能になる。
【発明を実施するための最良の形態】
【００２９】
以下、本発明の実施の形態について、図面を参照しながら説明する。
図１、図２に示すように洗浄具１は、両端部に係止孔１０を形成した不織布からなる洗浄布２と、洗浄布２と略同幅で、洗浄布２を外面に沿って縦巻にして配置可能な柔軟性を有する保持部１２と、先端部を保持部１２に固定した持ち手としての柄１３と、保持部１２又は柄１３に設けられ、係止孔１０を引っ掛けて洗浄布２を保持部１２の外面に沿って固定する引っ掛け部１４とを備えている。そして、保持部１２と柄１３と引っ掛け部１４とを有する洗浄具本体３に対して洗浄布２を取り付けるときには、洗浄布２の一方の係止孔１０を保持部１２の引っ掛け部１４に引っ掛けてから、洗浄布２を保持部１２を覆うようにして反対側へ引き回し、他方の係止孔１０を引っ掛け部１４に引っ掛けることにより取り付けることになる。また、取り外す際には、引っ掛け部１４から洗浄布２の端部を順次取り外して、洗浄具本体３から洗浄布２を取り外すことになる。
【００３０】
柄１３は、棒状の把持部１６と、把持部１６の先端部に左右両側へ突出状に設けた略平板状の取付部１７と、取付部１７の左端近傍部及び右端近傍部に上方へ突出状に設けた引っ掛け部１４とを備え、引っ掛け部１４の上端部には抜け止め用の鍔部１８が形成されている。柄１３の素材としては、洗浄時の使用に耐える強度を有するものであれば、任意の素材からなるものを採用できるが、撥水性の高い、ポリエチレン、ポリプロピレン等のポリオレフィン系熱可塑性合成樹脂からなるものを採用すると、使用後の手入れの容易さからも好ましい。尚、鍔部１８は、引っ掛け部１４に引っ掛けた洗浄布２の係止孔１０が、引っ掛け部１４から容易に脱落しないようにするためのもので、その形状は図１で示すように円板状でも良いが、多角形状や球状に構成することも可能であるし、軸状部を折曲させて係止する構成を採用してもよい。
【００３１】
保持部１２は、ポリエチレン、ポリプロピレン等の柔軟性を有した合成樹脂板やゴム板で構成され、途中部を湾曲させて２つ折りにし、両端部を取付部１７に重ね合わせて接着剤やボルトやリベット等で取付部１７に下方へ突出状に取付けられている。保持部１２は、基端部側が尖った中空状の細長い紡錘型に形成され、外力によって全体の厚みや形状が変化するように構成され、洗浄時には、湾曲した被洗浄面の形状に合わせて変形して、被
洗浄面を効果的に摩擦できるように構成されている。
【００３２】
洗浄布２は、保持部１２の幅と略同寸法で、保持部１２の外周寸法よりやや長い矩形の不織布片からなり、その両端部に引っ掛け部１４に対応させて４つの係止孔１０を形成するとともに、把持部１６を回避するための半円状の切欠部１１を形成したものである。但し、係止孔１０の個数や形成位置は引っ掛け部１４の個数や形成位置に応じて任意に設定可能である。
【００３３】
洗浄布２としては、比較的厚手で耐水性があり、保持部１２に巻き廻せる柔軟性と、ある程度の親水性があれば、合成繊維や再生繊維、天然繊維、及びそれらの混綿品等どんなものでも使用できるが、原綿の調達が容易で、繊維径の選択やバインダー繊維の増減で風合いの調整が比較的容易にでき、且つ、繊維の端部が表面に出やすくて拭き取り効果の高い、ポリエステル主体の短繊維ニードルパンチ不織布を使用することが好ましい。
【００３４】
また、洗浄布２の材料布として不織布を用いる代わりに、トイレ用ワイパーやペーパータオル等に用いられる、ある程度の耐水性を有しながら水洗トイレに流せる長繊維パルプ紙を用いると、使用後の、濡れてしずくの垂れる汚れた洗浄布２を、汚物入れ等に入れて処分する必要が無く、そのまま水洗トイレに流すことができるため、より利便性の高いトイレ用洗浄具１を実現することができる。
【００３５】
洗浄具本体３に対する洗浄布２の取付けは、図２に示すように、洗浄布２の一端部の係止孔１０を洗浄具本体３の引っ掛け部１４に引っ掛け、洗浄布２で保持部１２を覆うように、他方の端部を反対側に引き回し、先の引っ掛け部１４に洗浄布２の端部に重ねるようにして、引き回した側の係止孔１０を引っ掛けて取り付けることになる。また、洗浄布２と取り外しは、先とは反対に、引っ掛け部１４に引っ掛けて他方の係止孔１０を抜き取ってから、一方の係止孔１０を引っ掛け部１４から抜き取って、洗浄具本体３から洗浄布２を取り外すことになる。
【００３６】
尚、図１及び図２に示す洗浄具１では、引っ掛け部１４を取付部１７の左端近傍部と右端近傍部にそれぞれ上方へ突出状に設け、洗浄布２の両端部が重なるように、１つの引っ掛け部１４に対して洗浄布２の両端部の２つの係止孔１０を引っ掛けたが、取付部１７の左端近傍部及び右端近傍部に前後に突出する２つの引っ掛け部１４をそれぞれ形成し、係止孔１０を引っ掛け部１４に対して個別に引っ掛けてもよい。また、引っ掛け部１４は、取付部１７に代えて保持部１２に設けることも可能である。
【００３７】
尚、洗浄布２の係止孔１０をスリット状の切り込みに形成して、これを引っ掛け部１４に引っ掛けてもよい。このようにすると、洗浄布２の製造の際に、係止孔１０の抜きカスが発生しないため、抜きカスを排出するための機構や、抜きカスの混入を防止するための余分な作業や検査を実施する必要が無く、洗浄布２を安価に製造することが可能になる。
【００３８】
次に、洗浄具本体３の構成を部分的に変更した他の実施例について説明する。尚、前記実施の形態と同一部材には同一符号を付してその詳細な説明を省略する。
(1)  図３に示す洗浄具本体３Ａのように、保持部１２に代えて、先端側へ行くにしたがって徐々に肉厚を薄くした略矩形の平板状の保持部１２Ａを設け、取付部１７を省略して、把持部１６の先端部を保持部１２Ａの基端部に直接的に連結してもよい。この洗浄具本体３Ａにおいては、保持部１２Ａの基端部に上方へ突出する左右１対の引っ掛け部１４を形成し、前記洗浄具本体３と同様に、引っ掛け部１４に洗浄布２の係止孔１０を引っ掛けて、洗浄具本体３Ａに洗浄布２を取り付けることになる。
【００３９】
保持部１２Ａは、柔軟性を有した合成樹脂または合成ゴムで構成され、肉厚を薄くした
先端部は外力によって容易に屈曲可能であり、被洗浄面に押し当てる角度に係わらず、保持部１２Ａの先端部が柔軟に屈曲して、先端部が被洗浄面に密着した状態となるので、効率良く洗浄を行うことができる。また、先端部を薄くすることにより、より狭い隙間へも洗浄布２を挿し入れることができ、便器の口縁部裏側等の洗浄にも都合が良い。
【００４０】
(2)  図４に示す洗浄具本体３Ｂのように、前記保持部１２に代えて、両端側へ行くにしたがって徐々に厚みを薄くした柔軟性を有する長方形状の素材板を用い、この素材板の長さ方向の途中部に形成した一定幅の略平坦な連結部２０と、連結部２０の両側を折曲して先端側へ行くにしたがって略ハ字状に間隔が広くなるように形成した１対のアーム部２１とを有する保持部１２Ｂを設け、取付部１７を省略して、把持部１６の先端部を連結部２０の中央部に直接的に連結してもよい。この洗浄具本体３Ｂにおいては、保持部１２Ｂの連結部２０に上方へ突出する左右１対の引っ掛け部１４を形成し、前記洗浄具本体３と同様に、引っ掛け部１４に洗浄布２の係止孔１０を引っ掛けて、洗浄具本体３Ｂに洗浄布２を取り付けることになる。尚、連結部２０は前述のように略平坦に形成してもよいし、円弧状断面等に形成してもよい。
【００４１】
そして、洗浄布２を洗浄具本体３Ｂに取り付ける際には、図５に示すように、洗浄布２の一端の係止孔１０を引っ掛け部１４に引っ掛け、洗浄布２の他端を１対のアーム部２１の先端部を覆うように引き回し、アーム部２１の先端部が当接するように反対側へ引き絞った状態で、先に引っ掛けてある洗浄布２の端部に重ねるように、引き回した側の端部の係止孔１０を引っ掛け部１４に引っ掛けて、洗浄布２を洗浄具本体３Ｂに取り付けることになる。このようにして洗浄布２を取り付けた状態においては、保持部１２Ｂを構成する２枚のアーム部２１の断面形状が、先端が尖って中央部が膨れた略楔形になる。このため、便器壁面を摩擦する時に十分な弾力と壁面形状への追随性を確保しつつ、保持部１２の厚みも隙間の幅に応じて変化することができるため、狭い隙間へも容易に挿し入れることが可能で、優れた洗浄効果を発揮することができる。また、洗浄布２に引き絞られて、２枚のアーム部２１の先端が合わさる形になり、夫々が互いを支えあいながらも先端部が接合されていないために、２枚のアーム部２１は、十分な腰を保ちながらも、図６に示すように、こする方向に応じて、先端部がずれて容易に屈曲可能で、優れた柔軟性と張りの両方を兼ね備えた、使用感の良い、使いやすい洗浄具１を実現することができる。
【００４２】
尚、前記洗浄具本体３、３Ａ、３Ｂは、可塑性合成樹脂で一体に成形することも可能である。こうすることにより安価に効率良く製造できることはもちろん、性能的にも汚れの溜まりやすい接合面や隙間を無くし、より手入れの簡単な洗浄具本体３を実現できる。特に洗浄具本体３Ａ、３Ｂは形状も単純で、射出成形により成形しやすい形状であり、一体成形で製作することが好ましい。また、このように一体成形する場合には、柔軟性を有し、且つ、撥水性の高い、ポリエチレンやポリプロピレン等のポリオレフィン系熱可塑性合成樹脂を用いることが、使用後の手入れの容易さからも好ましい。
【００４３】
次に、洗浄布２に手を触れることなく、洗浄具本体から洗浄布２を取り外すための開放機構を設けた２つの洗浄具本体３０、４０について説明する。
第１の洗浄具本体３０について説明すると、図７に示すように、横断面略Ｕ字状の細長い棒状の把持部３１が設けられ、把持部３１の下端部には前記洗浄具本体３Ｂと同様に連結部２０と１対のアーム部２１と引っ掛け部１４とを有する保持部１２Ｂが一体的に設けられている。把持部３１には間口を狭くした略Ｃ字状の軸受部３２が内側へ向けて突出状に形成され、把持部３１内には操作ロッド３３が軸受部３２を介して上下移動自在に嵌合保持されている。操作ロッド３３の途中部には鍔部３４が一体的に形成され、操作ロッド３３は鍔部３４と上側の軸受部３２間に装着した圧縮コイルバネ３５により常時下方へ付勢されている。連結部２０の上側（保持部１２Ｂの外側）には保持部１２の上端部を覆う操作板３６が設けられ、操作板３６の中央部には把持部３１が挿通する貫通孔３９が形成
され、操作ロッド３３の下端部は操作板３６に連結されている。連結部２０の右部及び左部には引っ掛け部１４が上方へ向けて突出状に形成され、操作板３６には引っ掛け部１４が挿通する挿通孔３７が形成されている。
【００４４】
この操作具本体３０では、前記実施例と同様にして引っ掛け部１４に係止孔１０を引っ掛けて洗浄布２を取り付け、必要な洗浄を行った後、洗浄布２を取り外す際には、操作ロッド３３の上端部の操作部３８を上方へ操作することで、操作板３６を上方へ移動させて連結部２０から操作板３６を離間させ、引っ掛け部１４を操作板３６に対して相対的に下方へ移動させて、洗浄布２の係止孔１０から引っ掛け部１４を抜き取ることになる。このため、操作ロッド３３の操作だけで、使用後の汚れた洗浄布２に手を触れることなく取り外して捨てることができる。
【００４５】
第２の洗浄具本体４０について説明すると、図８に示すように、横断面略Ｕ字状の細長い棒状の把持部４１が設けられ、把持部４１の下端部には前記洗浄具本体３Ｂの保持部１２Ｂと同様に連結部２０と１対のアーム部２１とを有するが、引っ掛け部１４に代えて引っ掛け部１４が挿通する挿通孔４２を形成した保持部４３が一体的に設けられている。連結部２０の下側（保持部１２Ｂの内側）には操作板４４が設けられ、操作板４４には挿通孔４２を通って上方へ突出する引っ掛け部１４が上方へ突出状に形成されている。把持部４１には間口を狭くした略Ｃ字状の軸受部４５が内側へ向けて突出状に形成され、把持部４１内には操作ロッド４６が軸受部４５を介して上下移動自在に嵌合保持されている。操作ロッド４６の上端部には操作部４７が形成され、操作ロッド４６は操作部４７と上側の軸受部４５間に装着した圧縮コイルバネ４８により常時上方へ付勢されている。連結部２０の中央部には貫通孔４９が形成され、操作ロッド４６の下端部は貫通孔４９を通って操作板４４に連結されている。
【００４６】
この操作具本体では、前記実施例と同様にして引っ掛け部１４に係止孔１０を引っ掛けて洗浄布２を取り付け、必要な洗浄を行った後、洗浄布２を取り外す際には、操作ロッド４６を下方へ操作することで、操作板４４を下方へ移動させて連結部２０から操作板４４を離間させ、引っ掛け部１４を連結部２０に対して相対的に下方へ移動させて、洗浄布２の係止孔１０から引っ掛け部１４を抜き取ることになる。このため、操作ロッド４６の操作だけで、使用後の汚れた洗浄布２に手を触れることなく取り外して捨てることができる。
【００４７】
尚、洗浄具本体３０、４０は、操作具本体３Ｂを基本構成として、これに洗浄布２を取り外すための開放機構を設けたものであるが、洗浄具本体３０の開放機構は、前記実施例の操作具本体３、３Ａに対して同様にして設けることが可能である。また、洗浄具本体４０の開放機構を操作具本体３、３Ａに対して適用する場合には、操作具本体３に関しては、保持部１２の柄側端部の内側に沿って操作板を配置させ、操作板に引っ掛け部１４を形成し、保持部１２に引っ掛け部１４が挿通する挿通孔を形成し、操作板を保持部１２に対して上下方向に操作可能な操作ロッドを操作板に連結することになる。また、洗浄具本体３Ａに関しては、保持部１２Ａの内部に空洞部を形成して空洞部内に操作板を配置させ、操作板に引っ掛け部を形成し、保持部１２に引っ掛け部が挿通する挿通孔を形成し、操作板を保持部に対して上下方向に操作可能な操作ロッドを操作板に連結することになる。
【図面の簡単な説明】
【００４８】
【図１】（ａ）は洗浄具本体の斜視図、（ｂ）は洗浄布の斜視図
【図２】同洗浄具本体に洗浄布を取り付けた状態の側面図
【図３】他の構成の洗浄具本体の斜視図
【図４】他の構成の洗浄具本体の斜視図
【図５】同洗浄具本体に洗浄布を取り付けた状態の斜視図
【図６】同洗浄具の使用状態の説明図
【図７】他の構成の洗浄具本体の要部斜視図
【図８】他の構成の洗浄具本体の要部斜視図
【符号の説明】
【００４９】
１      洗浄具        ２      洗浄布
３      洗浄具本体
１０    係止孔        １１    切欠部
１２    保持部        １３    柄
１４    引っ掛け部    １６    把持部
１７    取付部        １８    鍔部
３Ａ    洗浄具本体    １２Ａ  保持部
３Ｂ    洗浄具本体    １２Ｂ  保持部
２０    連結部        ２１    アーム部
３０    洗浄具本体    ３１    把持部
３２    軸受部        ３３    操作ロッド
３４    鍔部          ３５    圧縮コイルバネ
３６    操作板        ３７    挿通孔
３８    操作部        ３９    貫通孔
４０    洗浄具本体    ４１    把持部
４２    挿通孔        ４３    保持部
４４    操作板        ４５    軸受部
４６    操作ロッド    ４７    操作部
４８    圧縮コイルバネ
４９    貫通孔
【図１】
2006312095.tif 000003
【図２】
2006312095.tif 000004
【図３】
2006312095.tif 000005
【図４】
2006312095.tif 000006
【図５】
2006312095.tif 000007
【図６】
2006312095.tif 000008
【図７】
2006312095.tif 000009
【図８】
2006312095.tif 000010
【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
両端部に係止孔を形成した不織布からなる洗浄布と、
前記洗浄布と略同幅で、洗浄布を外面に沿って縦巻にして配置可能な柔軟性を有する保持部と、
先端部を保持部に固定した持ち手としての柄と、
前記保持部又は柄に設けられ、係止孔を引っ掛けて洗浄布を保持部の外面に沿って固定する引っ掛け部と、
前記洗浄布の係止孔から引っ掛け部を抜き取って、保持部から洗浄布を取り外すための開放機構と、
を備えたことを特徴とする洗浄具。
【請求項２】
前記洗浄布として、不織布に代えてトイレに流すことができる紙素材からなるものを用いた請求項１記載の洗浄具。
【請求項３】
前記開放機構として、前記保持部の柄側端部の外側又は内側に沿って配置される操作板を設け、保持部と操作板のうちの内側に配置される部材に前記引っ掛け部を形成し、外側に配置される部材に引っ掛け部が挿通する挿通孔を形成し、操作板を保持部に対して接近方向と離間方向とに操作可能な操作ロッドを操作板に連結したものを用いた請求項１又は２記載の洗浄具。
【請求項４】
前記操作板を保持部の基端部側へ付勢する付勢手段を設けた請求項３記載の洗浄具。
【請求項５】
前記保持部と柄と引っ掛け部とからなる洗浄具本体を熱可塑性合成樹脂材料の一体成形品で構成した請求項１〜４のいずれか１項記載の洗浄具。
【請求項６】
前記請求項１〜５のいずれか１項記載の洗浄具で用いられる、保持部と柄と引っ掛け部とを備えたことを特徴とする洗浄具本体。
【手続補正２】
【補正対象書類名】明細書
【補正対象項目名】０００８
【補正方法】変更
【補正の内容】
【０００８】
本発明に係る洗浄具は、両端部に係止孔を形成した不織布からなる洗浄布と、前記洗浄布と略同幅で、洗浄布を外面に沿って縦巻にして配置可能な柔軟性を有する保持部と、先端部を保持部に固定した持ち手としての柄と、前記保持部又は柄に設けられ、係止孔を引っ掛けて洗浄布を保持部の外面に沿って固定する引っ掛け部と、前記洗浄布の係止孔から引っ掛け部を抜き取って、保持部から洗浄布を取り外すための開放機構とを備えたものである。
【手続補正３】
【補正対象書類名】明細書
【補正対象項目名】０００９
【補正方法】変更
【補正の内容】
【０００９】
この洗浄具では、洗浄布の一方の係止孔を引っ掛け部に引っ掛けてから、洗浄布を保持部を覆うようにして反対側へ引き回し、洗浄布の他方の係止孔を引っ掛け部に引っ掛けることにより、保持部に対して洗浄布を容易に取り付けることが可能となる。また、洗浄布を取り外す際には、開放機構により引っ掛け部から係止孔をそれぞれ抜き取って、容易に洗浄布を取り外すことが可能となる。
【手続補正４】
【補正対象書類名】明細書
【補正対象項目名】００１７
【補正方法】変更
【補正の内容】
【００１７】
前記開放機構として、前記保持部の柄側端部の外側又は内側に沿って配置される操作板を設け、保持部と操作板のうちの内側に配置される部材に前記引っ掛け部を形成し、外側に配置される部材に引っ掛け部が挿通する挿通孔を形成し、操作板を保持部に対して接近方向と離間方向とに操作可能な操作ロッドを操作板に連結したものを用いてもよい。この場合には、保持部の基端部と操作板とが離間するように操作ロッドを操作することで、引っ掛け部を挿入孔から抜き取る方向へ操作し、手を汚すことなく洗浄布から引っ掛け部を抜き取って、保持部から洗浄布を取り外すことが可能となる。
【手続補正５】
【補正対象書類名】明細書
【補正対象項目名】００２１
【補正方法】変更
【補正の内容】
【００２１】
本発明に係る洗浄具によれば、保持部又は柄に設けた引っ掛け部に対して洗浄布の係止孔を引っ掛けたり、開放機構により引っ掛け部から係止孔を抜き取ったりすることにより、洗浄具本体に対して洗浄布を容易に着脱することが可能となる。
【手続補正６】
【補正対象書類名】明細書
【補正対象項目名】００２７
【補正方法】変更
【補正の内容】
【００２７】
前記開放機構として、前記保持部の柄側端部の外側又は内側に沿って配置される操作板を設け、保持部と操作板のうちの内側に配置される部材に前記引っ掛け部を形成し、外側に配置される部材に引っ掛け部が挿通する挿通孔を形成し、操作板を保持部に対して接近方向と離間方向とに操作可能な操作ロッドを操作板に連結したものを用いると、保持部の基端部と操作板とが離間するように操作ロッドを操作することで、引っ掛け部を挿入孔から抜き取る方向へ操作し、手を汚すことなく洗浄布から引っ掛け部を抜き取って、保持部から洗浄布を取り外すことが可能となる。